(57)【要約】【課題】写真を汚損することなく良好に保持することができる写真装飾額を提供する。【解決手段】背面側から写真を配置して保持可能な写真装飾額１は、写真を露出させる開口Ｒを有する枠部３と、枠部３の前面を被覆する装飾部５と、枠部３の開口Ｒ周縁に形成されて写真を保持する保持部７と、保持部７に回動可能に軸支され写真を前方向に押圧する押圧部８とを備え、装飾部５は、開口Ｒ方向に前面が漸次傾斜するエッジ１０をさらに備え、押圧部８は、写真を前方向に押圧してエッジ１０の端部に写真を当接させる。【選択図】図３
2020044224.tif 000002
【特許請求の範囲】
【請求項１】
背面側から写真を配置することにより前記写真を保持する写真装飾額であって、
前記写真を露出させる開口を有する枠部と、
前記枠部の前面を被覆する装飾部と、
前記枠部の前記開口周縁に形成されると共に、前記写真を保持する保持部と、
前記保持部に回動可能に軸支されると共に、前記写真を前方向に押圧する押圧部と、
を備え、
前記装飾部は、前記開口方向に前面が漸次傾斜する傾斜部、
をさらに備え、
前記押圧部は、前記写真を前方向に押圧して前記傾斜部の端部に前記写真を当接させることを特徴とする写真装飾額。
【請求項２】
背面側から写真を配置することにより前記写真を保持する写真装飾額であって、
前記写真を露出させる開口を有すると共に、前記開口方向に前面が漸次傾斜する枠部と、
前記枠部の前記開口周縁に形成されると共に、前記写真を保持する保持部と、
前記保持部に回動可能に軸支されると共に、前記写真を前方向に押圧する押圧部と、
を備え、
前記押圧部は、前記写真を前方向に押圧して前記枠部の開口側の端部に前記写真を当接させることを特徴とする写真装飾額。
【発明の詳細な説明】
【技術分野】
【０００１】
本発明は、写真装飾額に関し、特に写真を保持する技術に関する。
【背景技術】
【０００２】
従来、台紙上に載置した写真の前面の周縁に、裏面に粘着力の弱い粘着材を塗布した装飾枠を貼着して、当該装飾枠を台紙に貼着することにより、写真を装飾する写真装飾額が提供されている（下記特許文献１）。
【０００３】
特許文献１に示される写真装飾額によると、繰り返し写真を台紙に貼着可能であるため、写真を取り外してから他の写真を台紙に貼着することにより、写真装飾額に配置する写真を入れ替えることが可能となる。
【先行技術文献】
【特許文献】
【０００４】
【特許文献１】特開平８−２８０５００号公報
【発明の概要】
【発明が解決しようとする課題】
【０００５】
しかし、繰り返し写真を入れ替えるのに応じて、装飾枠の粘着材の粘着力が弱くなるため、良好に写真を台紙上に固定することが困難になる。また、装飾枠の粘着材が写真に付着して写真を汚損するおそれもある。
【０００６】
そこで本発明は、上記の問題を解決すべく、写真を汚損することなく良好に保持することができる写真装飾額を提供することを目的とする。
【課題を解決するための手段】
【０００７】
上記目的を達成するため、請求項１に係る発明は、背面側から写真を配置することにより前記写真を保持する写真装飾額であって、前記写真を露出させる開口を有する枠部と、前記枠部の前面を被覆する装飾部と、前記枠部の前記開口周縁に形成されると共に、前記写真を保持する保持部と、前記保持部に回動可能に軸支されると共に、前記写真を前方向に押圧する押圧部とを備え、前記装飾部は、前記開口方向に前面が漸次傾斜する傾斜部をさらに備え、前記押圧部は、前記写真を前方向に押圧して前記傾斜部の端部に前記写真を当接させることを特徴とする構成である。
【０００８】
請求項２に係る発明は、背面側から写真を配置することにより前記写真を保持する写真装飾額であって、前記写真を露出させる開口を有すると共に、前記開口方向に前面が漸次傾斜する枠部と、前記枠部の前記開口周縁に形成されると共に、前記写真を保持する保持部と、前記保持部に回動可能に軸支されると共に、前記写真を前方向に押圧する押圧部とを備え、前記押圧部は、前記写真を前方向に押圧して前記枠部の開口側の端部に前記写真を当接させることを特徴とする構成である。
【発明の効果】
【０００９】
本発明によれば、背面側から写真を配置して前方向に押圧して枠部に当接させることにより、写真を汚損することなく良好に保持できる。
【図面の簡単な説明】
【００１０】
【図１】本実施形態における写真装飾額を示す斜視図である。
【図２】本実施形態における写真装飾額の正面図である。
【図３】本実施形態における写真装飾額の背面図である。
【図４】本実施形態における写真装飾額の断面図である。
【図５】本実施形態における写真装飾額の構造の一例を示す図である。
【図６】本実施形態における写真装飾額の押圧部の一例を示す図である。
【図７】本実施形態における写真装飾額の押圧部の一例を示す図である。
【図８】本実施形態における写真装飾額の使用態様の一例を示す図である。
【発明を実施するための形態】
【００１１】
以下、本発明の好ましい実施形態について、図面を参照しつつ詳細に説明する。なお、以下において参照する各図面では互いに共通する部材に同一符号を付しており、それらについての重複する説明は省略する。
【００１２】
図１は、本発明の実施形態における写真装飾額１を示す斜視図である。写真装飾額１は、本写真装飾額１の背面側から写真Ｐを配置することにより、写真Ｐを保持する。写真装飾額１は、写真Ｐを露出させる開口Ｒを有する枠部３と、枠部３の前面を被覆する装飾部５と、枠部３の開口Ｒ周縁に形成されると共に写真Ｐを保持する保持部７と、保持部７に回動可能に軸支されると共に、写真Ｐを前方向に押圧する押圧部８とを備える。
【００１３】
写真装飾額１の前面側からは、枠部３と装飾部５とが視認可能である。開口Ｒからは、写真装飾額１に背面から配置された写真Ｐの一部が露出する。枠部３は、四囲を囲むように枠材３ａを組むことにより構成される。枠材３ａは、前面側に所定幅を有するとともに、棒状に形成される。枠部３は、棒状の枠材３ａを組み合わせることにより、前面視中央付近に開口Ｒを有する矩形の枠により構成される。枠部３は、金属や木、或いは樹脂や紙により形成されてもよい。枠部３は、配置する写真Ｐのサイズに応じて、写真Ｐを配置するのに足りるサイズであればよい。枠部３は、略中央付近において開口Ｒを有する。開口Ｒは、写真Ｐを露出させて鑑賞できるサイズであればよい。
【００１４】
装飾部５は、枠部３の前面を被覆する。装飾部５は、樹脂、紙など所望の材料により構成される。装飾部５は所望の厚さを有し、好ましくは、２ミリメートル以下の厚さを有する。装飾部５は、略中央付近において開口を有し、枠部３に形成されている開口Ｒの一部を遮蔽する。或いは、装飾部５は、開口Ｒと略同じサイズの開口を備えてもよい。
【００１５】
装飾部５は、枠部３の前面に接着剤などにより剥離困難な程度に接着される。装飾部５の表面には、所望の色彩の塗料からなる模様が形成される。本実施形態において、装飾部５の表面は黒色に塗装される。装飾部５は、開口Ｒから露出する写真Ｐの背景を構成する。背景の明度を低くすることにより、中心に露出する写真Ｐが背景の影響を受けず、鑑賞者には写真Ｐが明るく見える。なお、これとは異なり、装飾部５の表面は、複数の色彩の塗料により塗装されてもよい。
【００１６】
装飾部５は、開口Ｒ方向に前面が漸次傾斜するエッジ１０を備える。エッジ１０は、開口Ｒ周縁に形成され、端部方向に向かって漸次厚さを減少させながら前面を傾斜させている。エッジ１０は所望の幅にて形成されるが、好ましくは１ミリメートルから１０ミリメートルまでの範囲内の幅を有する。エッジ１０は装飾部５の表面と同じ色彩を有してもよいし、これとは異なる色彩を有してもよい。
【００１７】
後述するように、開口Ｒから露出する写真Ｐは、エッジ１０の端部に当接する。写真Ｐがエッジ１０の端部に当接することにより、エッジ１０の陰影が写真Ｐ上に映ずるのを回避し、写真Ｐが写真装飾額１の前方側から良好に視認可能となるのである。
【００１８】
図２は、写真装飾額１の正面図である。中央付近に開口Ｒが設けられ、開口Ｒの周縁にエッジ１０が設けられる。さらにエッジ１０の外縁に装飾部５が設けられる。写真Ｐを写真装飾額１の背面側から配置することにより、開口Ｒから写真Ｐが露出する。本実施形態において開口Ｒの形状は、矩形に形成される。これとは異なり、開口Ｒは、例えば円形や楕円形など所望の形状に形成されてもよい。
【００１９】
図３は、写真装飾額１の背面図である。保持部７は、枠部３における開口Ｒ側に形成される。保持部７は、開口Ｒの周縁を囲むように形成される。本実施形態において保持部７は、枠部３と一体形成される。これとは異なり、保持部７は枠部３とは別体であり、枠部３に接着剤等により固着されてもよい。保持部７は、枠部３の外縁近傍の厚さより少ない厚さにて形成される。保持部７の内側に開口Ｒを有する。ユーザーは、枠部３の背面側から開口Ｒ内に写真Ｐを配置することが可能であり、写真Ｐの各端部は、対応する保持部７の開口Ｒ側端部と接する。
【００２０】
保持部７は、開口Ｒ周縁の端部が写真Ｐと接することにより、写真Ｐを開口Ｒ内に保持する。保持部７により形成される開口Ｒのサイズは、写真Ｐのサイズと略同じか、写真Ｐのサイズより大きい。開口Ｒのサイズが写真Ｐのサイズと略同じである場合、ユーザーは開口Ｒに写真Ｐを嵌め合わせることにより、写真Ｐの配置位置を模索する必要なく、速やかに写真Ｐを写真装飾額１の背面側に配置することが可能となる。
【００２１】
押圧部８は、保持部７に回動可能に軸支されると共に、写真Ｐを前方向に押圧する。押圧部８は、ボルト２０により保持部７に軸支される。押圧部８は、可撓性を備えた樹脂により形成される。押圧部８は、保持部７の周縁に複数配設される。本実施形態において、押圧部８は、開口Ｒを挟んで対向する位置に各々配設される。これにより、保持部７のスペースに載置された写真Ｐが写真装飾額１から脱落することを防止できる。
【００２２】
図４は、図１に示す点ａ１−ａ２を結ぶ断面の一例を示す図である。枠部３は、中央付近に開口Ｒを有する。枠部３の開口Ｒ周縁において、枠部３と一体形成される保持部７を備える。枠部３の前面側に装飾部５が設けられ、枠部３の前面側が装飾部５により被覆される。装飾部５は、中央付近において開口Ｒよりサイズが小さい開口を有する。これにより、装飾部５は開口Ｒの一部を遮蔽する。
【００２３】
装飾部５は、開口周縁にエッジ１０を備える。エッジ１０は、背面側に向かって下る傾斜面を備える。写真Ｐが開口Ｒ内に配置され、写真Ｐの端部が保持部７の開口Ｒ周縁の端部と接することにより保持されると、鑑賞者にはエッジ１０より内側に形成される開口から露出する写真Ｐを視認可能となる。この場合、写真Ｐの端部近傍は装飾部５又はエッジ１０により遮蔽されるため、鑑賞者が視認できない。
【００２４】
図５は、写真装飾額１の構造の一例を示す組み立て図である。写真装飾額１の最前面に装飾部５が配置される。次に、枠部３が配置され、装飾部５は枠部３の前面を被覆する。装飾部５の中央付近に形成される開口は、枠部３に形成される開口Ｒよりサイズが小さいため、装飾部５は開口Ｒの端部付近の一部を遮蔽する。
【００２５】
本実施形態において枠部３は、四囲を囲むように枠材３ａを組み合わせて構成され、各枠材３ａの端部同士を合わせた状態で接着剤やボルト等により固着される。或いは、各枠材３ａは、各枠材３ａに形成される継ぎ手（図示せず）同士を組み合わせることにより枠部３を形成してもよい。枠材３ａは、長さ方向に直交する断面視、くの字状に形成される。枠材３ａの内側には保持部材７ａが備えられ、枠材３ａの外側に比べて厚みが少ない。枠材３ａには塗料が塗布される。これにより、写真装飾額１の外側部分における紫外線等による劣化を遅らせることが可能である。
【００２６】
保持部７は、枠材３ａの内側に形成される保持部材７ａを組み合わせることにより形成される。保持部７における内側端部内に開口Ｒを有する。開口Ｒのサイズは、写真装飾額１に配置される写真Ｐのサイズと略同じである。保持部７は所望の厚さにて形成され、さらに好ましくは、１センチメートル以下の厚さを有する。
【００２７】
押圧部８は、保持部７の背面側にボルト２０により留められる。押圧部８は、ボルト２０を軸として回動可能である。図６は、押圧部８の一例を示す拡大図である。図６（ａ）は押圧部８を拡大した背面図であり、図６（ｂ）は、押圧部８の断面を示す側面図である。図６（ａ）に示すように、押圧部８は保持部７の背面側にボルト２０により留められる。そして、ボルト２０を中心に、矢印Ｆ１方向に手動にて回動可能である。押圧部８は、開口Ｒ方向に向かって先端部が装飾部５に重なり合う位置に突出する。
【００２８】
図６（ｂ）に示すように、押圧部８は、装飾部５に当接する先端側に当接部２７と、ボルト２０により保持部７に軸支される軸支部２５とを備える。押圧部８は、装飾部５に近接する方向に傾斜し、傾斜した先端に当接部２７を備える。当接部２７が開口Ｒ側に向かう場合、当接部２７は軸支部２５に比べて前方向に突出する。すなわち、当接部２７は、軸支部２５に比べて装飾部５に近接するのであり、より好ましくは、当接部２７は装飾部５に当接する。
【００２９】
写真Ｐが保持部７に保持されていない場合、押圧部８は、写真装飾額１の厚さ方向に対して垂直な軸Ｊ１を中心に回動し、当接部２７が保持部７に当接する位置に配置される。これに対して、写真Ｐが保持部７の内側に保持されると、押圧部８を軸Ｊ１を中心にして回動させて、当接部２７を写真Ｐに当接させることができる。押圧部８が写真Ｐに当接する位置にある場合、当接部２７は写真Ｐに当接し、写真Ｐを前方に押圧する。そのため、写真Ｐは押圧部８と装飾部５とにより挟持される。これにより、写真Ｐは保持部７から脱落するのを防止することができる。
【００３０】
図７は、図６に示した例とは異なる構成の押圧部８の一例を示す図である。図７（ａ）は、押圧部８を拡大した背面図である。図７（ｂ）は、図７（ａ）に示した押圧部８の断面を示す側面図である。図７（ａ）に示すように、押圧部８はボルト２０により保持部７に固定される。押圧部８は、ボルト２０を中心として回動してもよいし、回動不能でもよい。押圧部８は、軸支部２５と当接部２７とを結ぶアーム２６を通るとともに、アーム２６に直交する軸Ｊ２を中心として、当接部２７が回動可能である。すなわち、図７（ｂ）に示すように、当接部２７は、軸Ｊ２を中心として矢印Ｆ２方向に回動可能である。
【００３１】
写真Ｐが保持部７に保持されていない場合、当接部２７は装飾部５とは反対の方向に回動して所定位置に配置される。これに対して写真Ｐが保持部７のスペースに載置された場合、軸Ｊ２を中心として当接部２７を装飾部５に近づく方向に回動させることにより、当接部２７を装飾部５に当接させることが可能である。これにより、写真Ｐは、当接部２７と装飾部５により良好に挟持されるのである。なお、当接部２７は、軸Ｊ２を中心として、バネなどによって装飾部５に近接する方向に付勢されてもよい。
【００３２】
図８は、写真装飾額１の使用形態の一例を示す図である。図８（ａ）に示すように、保持部７の内側に写真Ｐが載置されている場合に、当接部２７は開口Ｒ方向に向かい、軸支部２５より前方向に突出している。そして、前方向に突出した当接部２７が写真Ｐの背面を押圧するため、写真Ｐは当接部２７と装飾部５により挟持される。
【００３３】
このように、当接部２７が写真Ｐの背面を前方向に押圧して、写真Ｐが当接部２７と装飾部５により挟持されることにより、写真Ｐが写真装飾額１から脱落するのを防止できる。また、当接部２７により写真Ｐに対する前方向への押圧力がかかることにより、写真Ｐが装飾部５に当接すると共にエッジ１０に当接する。これにより、写真Ｐとエッジ１０との間に隙間が生じるのを防止できる。そのため、写真装飾額１の前方向から見た場合に、開口Ｒから露出する写真Ｐに装飾部５又はエッジ１０の陰影が映ずるのを回避できるのである。
【００３４】
図８（ｂ）は、写真Ｐの背面側に補助材３０が配設される場合の例を示したものである。補助材３０は、段ボールなどの紙や樹脂、或いは木により構成されてもよい。より好ましくは、補助材３０は弾性を備える。補助材３０は所望の厚さを備えてもよいし、より好ましくは、保持部７の開口Ｒ周縁の端部と略同じ厚さを備えてもよい。
【００３５】
写真Ｐの背面側に補助材３０を配設することにより、当接部２７が直接写真Ｐと当接するのではなく、当接部２７は補助材３０に当接して補助材３０を前方向に押圧する。そして、補助材３０を経由して写真Ｐに押圧力が加わり、写真Ｐは前方向に押圧されることにより、装飾部５に当接すると共にエッジ１０に当接する。これにより、当接部２７が直接に写真Ｐを押圧することによる写真Ｐの損耗を回避できる。また、写真Ｐとエッジ１０との間に隙間が生じるのを防止できることから、写真装飾額１の前面側から見た場合に、エッジ１０又は装飾部５の陰影が写真Ｐに映ずるのを回避できる。
【００３６】
本発明にかかる写真装飾額１は、写真Ｐを写真装飾額１の背面側から保持部７の内側に配置すると、開口Ｒから写真Ｐが露出する。そして、鑑賞者は、写真装飾額１の前面側から装飾された写真Ｐを良好に鑑賞可能である。すなわち、本発明にかかる写真装飾額１は、位置合わせ作業を行うことなく写真Ｐを配置位置に配置でき、保持部７の開口Ｒ周縁の端部が写真Ｐの端部と接することにより、写真Ｐを確実に保持できる。
【００３７】
また、押圧部８により背面側から写真Ｐを押圧することにより、写真Ｐが写真装飾額１から脱落することを防止できる。さらに、押圧部８が写真Ｐを前方向に押圧することで、写真Ｐがエッジ１０に隙間なく当接するため、写真装飾額１に配置された写真Ｐを前方向から見た場合に、写真Ｐに装飾部５又はエッジ１０の陰影が映ずるのを回避できる。
【００３８】
加えて、写真Ｐと当接部２７とが当接しない位置まで押圧部８を回動させて、写真Ｐに対する押圧を解除することにより、写真Ｐを写真装飾額１から容易に取り出すことができる。すなわち、本発明にかかる写真装飾額１は、写真を毀損することなく取り出すと共に、新たな写真を配置することができるのであり、繰り返し写真を入れ替え可能なのである。
【００３９】
上記は、本発明に関する一実施形態を説明したものであるが、本発明は上記実施形態において説明したものに限定されるものではなく、種々の変形例が適用可能である。
【００４０】
本発明において、枠部３は写真Ｐを露出させる開口Ｒを有すると共に、開口Ｒ周縁において前面が漸次傾斜するエッジ１０を備えてもよい。そして、押圧部８は、枠部３の背面側に当接する当接部２７を備える。写真Ｐが保持部７に形成されるスペースに載置されると、当接部２７は写真Ｐの背面側を押圧する。そして、写真Ｐは、当接部２７と枠部３により挟持される。
【００４１】
本発明において、枠部３と保持部７とは一体形成される場合を示したが、本発明はこれに限られず、保持部７は枠部３とは別体にて形成されてもよい。例えば、保持部７は、四囲を囲む枠状に形成され、枠部３の背面側に固着されてもよい。保持部７は、四囲を囲む枠内に写真Ｐを載置可能なスペースを備える。
【符号の説明】
【００４２】
１    写真装飾額
３    枠部
３ａ  枠材
５    装飾部
７    保持部
７ａ  保持部材
８    押圧部
１０  エッジ（傾斜部）
Ｒ    開口
【図１】
2020044224.tif 000003
【図２】
2020044224.tif 000004
【図３】
2020044224.tif 000005
【図４】
2020044224.tif 000006
【図５】
2020044224.tif 000007
【図６】
2020044224.tif 000008
【図７】
2020044224.tif 000009
【図８】
2020044224.tif 000010